(57)【要約】【課題】楽器への取り付けのより効率的な手段を有し、既知のピックアップ支持体の問題を克服することを目的とする改善されたピックアップ支持体を提供すること。【解決手段】弦楽器のための交換可能ピックアップ支持体であって、前記支持体は、弦楽器への取り付けの手段が設けられる基礎本体部と、ピックアップを支持し前記基礎本体部に取り付けるための手段とを少なくとも備える種類のものであり、基礎本体部を弦楽器に取り付けるための前記手段は、ファスナー要素を少なくとも備え、ファスナー要素は、ファスナー要素にしっかりと連結される作動手段によって移動可能であり、ファスナー要素の端部は、前記基礎本体部の外面に配置されるそれぞれの孔を通じて部分的に突出し、前記弦楽器に取り付けられるように構成され、前記基礎本体部は、弦楽器への基礎本体部の取り付けにおいて、ファスナー要素を保持するための要素も少なくとも備える。【選択図】図１
2018116275.tif 000002
【特許請求の範囲】
【請求項１】
弦楽器のための交換可能ピックアップ支持体であって、前記支持体は、弦楽器への取り付けの手段が設けられた基礎本体部と、ピックアップを支持し前記基礎本体部に取り付けるための手段とを少なくとも備える種類のものである、交換可能ピックアップ支持体において、
前記基礎本体部を弦楽器に取り付けるための前記手段は、ファスナー要素を少なくとも備え、前記ファスナー要素は、前記ファスナー要素にしっかりと連結される作動手段によって移動可能であり、前記ファスナー要素の端部は、前記基礎本体部の外面に配置されたそれぞれの孔を通じて部分的に突出するとともに、前記弦楽器に取り付けられるように構成され、前記基礎本体部は、前記弦楽器への前記基礎本体部の取り付けにおいて、前記ファスナー要素を保持するための要素を少なくとも備えることを特徴とする、交換可能ピックアップ支持体。
【請求項２】
前記ファスナー要素は、前記基礎本体部の前記外面に配置された２つのそれぞれの孔を通じて部分的に突出するように構成された２つの対称的な端部を備えることを特徴とする、請求項１に記載のピックアップ支持体。
【請求項３】
前記ファスナー要素は、前記基礎本体部の前記外面に配置された４つのそれぞれの孔を通じて部分的に突出するように構成された４つの対称的な端部を備えることを特徴とする、請求項１に記載のピックアップ支持体。
【請求項４】
前記ファスナー要素は、前記ファスナー要素の中央に対して径方向に移動可能であることを特徴とする、請求項１から３のいずれか一項に記載のピックアップ支持体。
【請求項５】
前記ファスナー要素を作動させるための前記手段は、前記ファスナー要素の表面の中央の両側に配置されるそれぞれの貫通孔から成り、前記ファスナー要素が使用者の２本の指の動きによって操作されることを可能にすることを特徴とする、請求項１から４のいずれか一項に記載のピックアップ支持体。
【請求項６】
前記保持するための要素は、２つの螺旋バネから成り、前記２つの螺旋バネは、前記ファスナー要素に垂直に配置され、前記基礎本体部に向かって前記ファスナー要素に圧力を加えることを特徴とする、請求項１に記載のピックアップ支持体。
【請求項７】
前記ファスナー要素は、前記端部が一部傾斜する末端を有する平面的な要素であることを特徴とする、請求項１から５のいずれか一項に記載のピックアップ支持体。
【請求項８】
前記支持体は、前記支持体に対する前記ピックアップの位置および傾斜を調節するための手段を備えることを特徴とする、請求項１から７のいずれか一項に記載のピックアップ支持体。
【請求項９】
請求項１から８のいずれか一項に記載の交換可能ピックアップ支持体を備えることを特徴とする弦楽器。
【請求項１０】
前記楽器はエレキギターであることを特徴とする、請求項９に記載の弦楽器。
【発明の詳細な説明】
【技術分野】
【０００１】
本発明は、音楽分野に関し、特に、弦楽器、特に、エレキギター、エレキベース、またはエレクトリックヴァイオリンなどの電気弦楽器のための交換可能ピックアップ支持体に関する。
【背景技術】
【０００２】
電気弦楽器のためのピックアップは、楽器の弦の振動を電気信号へと変換する変換器である。様々な種類のピックアップが、弦の振動が捉えられる物理的な原理に応じて存在し、最も一般的なものは電磁ピックアップである。この種類のピックアップは、磁場を作り出すコイルを備え、そのため、強磁性の弦の振動は、移動の振幅に比例すると共に弦の振動の周波数に等しい周波数の電流を、コイルにおいて誘導する。マイクロホンまたはカプセルとしても知られている前記ピックアップは、楽器の本体の筐体において弦の直ぐ下に通常は配置される。ピックアップは、楽器の本体の前記筐体に、弦楽器の筐体への取り付けの手段を一般的には備えるピックアップ支持体を用いて通常は配置される。楽器への前記取り付け手段は、楽器のピックアップを別のものと交換することができるように、通常は取り外し可能な連結の種類のものである。
【０００３】
例として、特許文献１は、楽器への取り付けの手段がネジ付き要素から成るピックアップ支持体の例を開示している。しかしながら、ネジ付き要素の使用は、機械的な取り付け手段としては非常に信頼できるが、主にネジ付き要素のネジを緩めるステップと捩じ込むステップとのため、あるピックアップ支持体を別のものに交換するときにいくらかの時間が必要とされる。結果として、この種類の取り外し可能な連結取り付け手段は、例えば音楽演奏中に、ピックアップ支持体を交換するときに不便である。
【０００４】
特許文献２は、楽器への取り付け手段が、ピックアップ支持体と楽器との両方において内部通路に配置されるバネとボール位置決め装置とから成るピックアップ支持体の別の例を開示している。したがって、ピックアップ支持体が楽器の筐体に配置されるとき、それぞれのボール位置決め装置は、特許文献２の図３に示されているように、ピックアップ支持体を楽器の筐体において保持するように、ギター楽器の筐体に配置されるそれぞれのボール位置決め装置に着座される。この場合、楽器の対応する筐体におけるピックアップ支持体の配置は、ネジ付き要素を使用するとき（特許文献１）よりも素早く効率的に実行される。しかしながら、前記ボール位置決め装置を用いての取り付けは、安定性が悪く、特に、楽器の弦によって作り出される振動に対して安定性が悪い。また、ピックアップ支持体の位置決めと取り外しとの両方が圧力によって行われなければならず、これは、主に強度の不足のため、演奏中に演奏家によるピックアップ支持体の素早く効率的な位置決めおよび／または取り外しを困難にすることがある。
【先行技術文献】
【特許文献】
【０００５】
【特許文献１】スペイン特許出願第２０１６３００５８号
【特許文献２】米国特許第６，１１１，１８４号
【発明の概要】
【課題を解決するための手段】
【０００６】
本発明は、楽器への取り付けのより効率的な手段を有し、既知のピックアップ支持体の前述の問題を克服することを目的とする改善されたピックアップ支持体を開示する。特に、本発明は、ピックアップ支持体の迅速で効率的な位置決めと取り外しとを可能にする一方で、ピックアップ支持体と楽器との間の安定した取り付けを維持する、楽器への取り付けの手段を有するピックアップ支持体を開示する。
【０００７】
特に、本発明は、主請求項１による、弦楽器のための交換可能ピックアップ支持体を開示する。前記交換可能ピックアップ支持体は、弦楽器への取り付けの手段が設けられる基礎本体部と、ピックアップを支持し前記基礎本体部に取り付けるための手段とを少なくとも備える種類のものであり、基礎本体部を弦楽器に取り付けるための前記手段は、ファスナー要素を少なくとも備え、ファスナー要素は、ファスナー要素にしっかりと連結される作動手段によって移動可能であり、ファスナー要素の端部は、前記基礎本体部の外面に配置されるそれぞれの孔を通じて部分的に突出し、前記作動手段による前記ファスナー要素の移動の間に、弦楽器に配置されるそれぞれの受入溝に取り付けられるように構成され、前記基礎本体部は、弦楽器への基礎本体部の取り付けにおいて、ファスナー要素を保持するための要素も少なくとも備えることを特徴とする。
【０００８】
本発明による支持体は、先行技術におけるよりも、支持体の迅速で効率的な位置決めと取り外しとを可能にする一方で、同時に、楽器への前記支持体の安定した取り付けを維持する。
【０００９】
本発明の第１の実施形態によれば、ファスナー要素は、前記基礎本体部の外面に配置される２つのそれぞれの孔を通じて部分的に突出するように構成される２つの対称的な端部を好ましくは備える。
【００１０】
本発明の第２の実施形態によれば、ファスナー要素は、前記基礎本体部の外面に配置される４つのそれぞれの孔を通じて部分的に突出するように構成される４つの対称的な端部を好ましくは備える。
【００１１】
好ましくは、ファスナー要素は、その中央に対して径方向において移動させられ得る。
【００１２】
好ましくは、ファスナー要素を作動させるための手段は、ファスナー要素の表面の中央の両側に配置されるそれぞれの貫通孔から成り、ファスナー要素が使用者の２本の指の動きによって操作されることが可能である。
【００１３】
好ましくは、保持要素は、ファスナー要素において垂直に配置され、基礎本体部に向かって前記ファスナー要素に圧力を加える２つの螺旋バネから成る。
【００１４】
好ましくは、ファスナー要素は、端部が一部傾斜する末端を有する平面的な要素である。前記構成は、弦楽器に取り付けられるとき、ファスナー要素の移動中の摩擦を低減するのを助ける。
【００１５】
また、前記支持体は、支持体に対するピックアップの位置および傾斜を調節するための手段を好ましくは備える。
【００１６】
本発明の別の目的は、本発明による交換可能ピックアップ支持体を備える弦楽器を開示することである。
【００１７】
好ましくは、弦楽器はエレキギターである。
【００１８】
本発明の理解を助けるために、添付の図面が、弦楽器のためのピックアップ支持体の２つの実施形態の説明的であるが非限定的な例として提供されている。
【図面の簡単な説明】
【００１９】
【図１】本発明の第１の実施形態によるピックアップ支持体の第１の斜視図である。
【図２】本発明の第１の実施形態によるピックアップ支持体の第２の斜視図である。
【図３】本発明の第１の実施形態によるピックアップ支持体の上方からの図である。
【図４】本発明の第１の実施形態によるピックアップ支持体の下方からの図である。
【図５】本発明の第１の実施形態によるピックアップ支持体のいくつかの要素の分解斜視図である。
【図６】図３の平面ＶＩ−ＶＩ’を通るピックアップ支持体の断面図である。
【図７】ファスナー要素の端部によって弦楽器の外部要素に取り付けられる、本発明の第１の実施形態によるピックアップ支持体の斜視図である。
【図８】本発明によるピックアップ支持体が取り付けられることになる、図７に示した外部要素の場所を有する弦楽器の斜視図である。
【図９】図７によるピックアップ支持体の上方からの図である。
【図１０】ピックアップ支持体が弦楽器の外部要素に取り付けられていない、図９の平面Ｘ−Ｘ’を通るピックアップ支持体の断面図である。
【図１１】図１０の断面図の拡大断面図である。
【図１２】支持体がファスナー要素の端部によって弦楽器の外部要素に取り付けられている、図９の平面Ｘ−Ｘ’を通るピックアップ支持体の断面図である。
【図１３】図１２の断面図の拡大断面図である。
【図１４】本発明の第２の実施形態によるピックアップ支持体の第１の斜視図である。
【図１５】本発明の第２の実施形態によるピックアップ支持体の第２の斜視図である。
【図１６】本発明の第２の実施形態によるピックアップ支持体のいくつかの要素の分解斜視図である。
【図１７】取り付け位置における、本発明の第２の実施形態によるピックアップ支持体の下方からの図である。
【図１８】解除位置における、本発明の第２の実施形態によるピックアップ支持体の下方からの図である。
【発明を実施するための形態】
【００２０】
図１〜図４はそれぞれ、ピックアップ３００の支持体１の第１の実施形態の斜視図、上方からの図、および下方からの図である。前記支持体１は、弦楽器に取り付けられる支持体１の一部である基礎本体部１００を備える。また、前記支持体１は、ピックアップ３００が、例えば、一般的にはその端部に配置されるネジを用いて取り付けられる板（図示せず）を備える。また、ピックアップは、板へのピックアップ３００の調節および取り付けのために、ピックアップ３００が対応するネジによって取り付けられる前記板（図示せず）の全体を覆う化粧ケース２００を備える。図１および図２で見られるように、ピックアップ３００の支持体１のこの第１の実施形態によれば、基礎本体部１００は、下方板１４０（図４参照）によって閉じられた長方形の角柱の形を有しており、前記基礎本体部１００の長手方向軸に沿って互いと反対にあるその面の各々において、２つの孔１１０、１２０を備え、これらの孔を通じて、図５に示すファスナー要素１３０のそれぞれの端部１１１および１２１が、後で分かるように、突出する。
【００２１】
また、図４に示すように、ファスナー要素１３０は、後で説明されるように、２つの位置の間でファスナー要素１３０を操作および移動させるために、使用者の２本それぞれの指を挿入することができる、ファスナー要素１３０の表面の中央の両側に配置された貫通孔１７１および１７２を備える（図５においてより詳細に示されてもいる）。また、基礎本体部１００の下方板１４０はそれぞれの貫通孔１４１および１４２を備え、そのそれぞれの孔１４１および１４２を通じてファスナー要素１３０を操作するために、使用者は、貫通孔１４１および１４２を通じてそれぞれの指を用いてアクセスを得ることができる。前記貫通孔１４１および１４２は、連結位置（例えば図７、図１２、および図１３において見られるように、ファスナー要素１３０の端部１１１および１２１が基礎本体部１００のそれぞれの孔１１０、１２０を通じて突出する）と、連結解除位置（例えば図６、図１０、および図１１において見られるように、前記端部が基礎本体部１００の内部に再び位置するまで、ファスナー要素１３０の端部１１１および１２１が後方へ移動する）との間で、そのそれぞれの孔１４１および１４２を通じてのファスナー要素１３０の移動を許容するような細長い種類のものである。
【００２２】
また、図５および図６で見られるように、基礎本体部１００は、筐体を備え、筐体の内部にファスナー要素１３０が位置付けられ、前記筐体は、前記連結位置と前記連結解除位置との間での前記ファスナー要素１３０の案内および移動を許容するのに適切となっている。前記図５で見られるように、ファスナー要素１３０は、基礎本体部１００の内部の空間に適合される形の、好ましくは平面形状であり、取り付けネジまたは追加のバネなどの前記ピックアップ３００の支持体１の内部要素によって妨げられない移動軌道を作り出すことができる。さらに、図６で見られるように、端部１１１および１２１は一部傾斜する末端を有し、この末端は、後で分かるように、弦楽器に連結される場合に、ファスナー要素１３０の移動を容易にする。また、基礎本体部１００は、ファスナー要素１３０を保持するための手段も備え、この手段は、ファスナー要素１３０において、好ましくは前記ファスナー要素１３０の中央の両側において、垂直に配置される２つの螺旋の好ましくは円錐形状のバネ１３１および１３２から成る。前記螺旋バネ１３１および１３２は、前記連結位置と連結解除位置との両方において、一定の圧力を、基礎本体部１００の下方板１４０に向かって前記ファスナー要素１３０に加えるように構成されている。
【００２３】
ピックアップ３００の支持体１は、それぞれの端部１１１、１２１を受け入れるための溝もしくは孔を有するギター（図示せず）の本体に直接的に連結されてもよく、または、図７および図９で見られるような外部要素４００に連結されてもよく、前記外部要素４００は、例えばギターなど（図８参照）の弦楽器の本体４に作られた孔４０にさらに連結される。
【００２４】
図１０および図１１は、外部要素４００に対するファスナー要素１３０の連結解除位置におけるピックアップ３００の支持体を示しており、図１２および図１３は、外部要素４００に対するファスナー要素１３０の連結位置におけるピックアップ３００の支持体を示している。連結解除位置と連結位置との間で、使用者は、自身の手の２本の指を、基礎本体部１００の下方板１４０のそれぞれの細長い孔１４１および１４２を通じて、ファスナー要素１３０の孔１７１および１７２にあらかじめ挿入し、前記ファスナー要素１３０を、基礎本体部１００において内部に定められると共に細長い孔１４１および１４２の端部によって制限される軌道に沿って移動させる。ファスナー要素１３０をそれぞれの細長い孔１４１および１４２の一方の端部から他方の端部まで移動させることで、ファスナー要素１３０は移動させられ、前記ファスナー要素１３０の端部１１１および１２１を、それぞれの孔１１０および１２０から突出させる。前記ファスナー要素１３０の端部１１１および１２１は、基礎本体部１００のそれぞれの孔１１０および１２０から突出することで、前記端部１１１および１２１を受け入れるための外部要素４００のそれぞれの孔４１０および４２０へと入り、基礎本体部１００と外部要素４００との間に連結を作り出す。ピックアップ３００の支持体１と、外部要素４００を備えることになる楽器本体との間の前記連結の効率的な保持を確保するために、先に説明したように、２つの螺旋バネ１３１および１３２は、基礎本体部１００の下方板１４０に向かって前記ファスナー要素１３０に、ならびに孔４１０および４２０におけるそれぞれの連結点における端部１１１および１２１に、常に一定の圧力を加える。
【００２５】
任意選択で、図１１において見られるように、外部要素４００および基礎本体部１００のそれぞれの孔（１１０、１２０）および（４１０、４２０）の位置合わせが段差付きとされてもよい。この場合、ファスナー要素１３０の端部１１１および１２１の一部傾斜する末端は、弦楽器に連結される場合に、前記ファスナー要素１３０を移動させることをより容易にする。したがって、ファスナー要素１３０を移動させると、前記ファスナー要素１３０の端部１１１および１２１をそれぞれの孔１１０および１２０から突出させ、前記端部１１１および１２１は、前記端部１１１および１２１を受け入れるための外部要素４００のそれぞれの孔４１０および４２０に入ることができるように、外部要素４００および基礎本体部１００のそれぞれの孔（１１０、１２０）および（４１０、４２０）の間に形成された段差を昇ることになる。前記段差を垂直に昇ることで、ファスナー要素１３０は、孔４１０および４２０のそれぞれの下方部を含む平面によって定められる位置へと持ち上げられもする。また、ファスナー要素１３０が基礎本体部１００の内部で垂直に持ち上がるとき、それぞれの螺旋バネ１３１および１３２は若干収縮し、それによってさらに、それぞれの孔４１０および４２０において連結されるファスナー要素１３０の端部１１１および１２１において、ファスナー要素１３０の信頼できる保持を確保する。
【００２６】
図１４〜図１８はそれぞれ、ピックアップ３００の支持体１’の第２の実施形態の図である。前記第２の実施形態は、後に記載しているものを除いて、第１の実施形態の要素と事実上同じである要素を備えており、そのため、第１の実施形態に対して同様の要素は、同じ符号を有する可能性があり、前記第２の実施形態に関して記載されることはない。
【００２７】
前記第２の実施形態では、支持体１’は、下方板１４０によって閉じられた長方形の角柱の形を有する基礎本体部１００’も備える。しかしながら、この場合、基礎本体部１００’は、その４つの垂直な面において、後で分かるように、図１６に示したファスナー要素１３０’のそれぞれの端部１１１’、１５１、１２１、および１６１が突出し得るのに通る４つそれぞれの孔１１０、１５０、１２０、および１６０をそれぞれ備える。この場合、ファスナー要素１３０’は、任意選択で、ファスナー要素１３０’を操作するための細長い孔１７１および１７２と異なる細長い孔１３５を少なくとも備えてもよく、前記細長い孔１３５は、取り付けネジまたは追加のバネなど、前記ピックアップ３００の支持体１’の内部要素を収容し、したがってファスナー要素１３０’の妨げられない移動を許容するように構成される。ファスナー要素１３０’の４つの端部の前記構成は、弦楽器の使用の間に生じ得る振動に対してより信頼できて安全である連結を作り出す。
【００２８】
ピックアップ３００の支持体１’の基礎本体部１００’と外部要素４００との間の連結動作と連結解除動作とは、第１の実施形態についてと同じであり、そのためこの場合、使用者は、自身の手のそれぞれの指を、基礎本体部１００’の下方板１４０のそれぞれの細長い孔１４１および１４２を通じて、ファスナー要素１３０’の孔１７１および１７２にあらかじめ挿入し、前記ファスナー要素１３０’を、基礎本体部１００’において内部に定められると共に細長い孔１４１および１４２の端部によって制限される軌道に沿って移動させる。この場合、ファスナー要素１３０’をそれぞれの細長い孔１４１および１４２の一方の端部から他方の端部まで移動させることで、ファスナー要素１３０’は移動させられ、前記ファスナー要素１３０’の端部１１１’、１５１、１２１、および１６１をそれぞれの孔１１０、１５０、１２０、および１６０から突出させ、それぞれ、前記端部１１１’、１５１、１２１、および１６１を受け入れるための外部要素４００におけるそれぞれの孔へと入らせ、基礎本体部１００’と外部要素４００との間の連結を作り出す。この場合でも、ピックアップ３００の支持体１’と、外部要素４００を備えることになる楽器本体との間の前記連結の効率的な保持を確保するために、２つの螺旋バネ１３１および１３２は、基礎本体部１００’の下方板１４０に向かって前記ファスナー要素１３０’に、ならびに前記端部１１１’、１５１、１２１、および１６１を受け入れるためのそれぞれの孔におけるそれぞれの連結点における端部１１１’、１５１、１２１、および１６１に、常に一定の圧力を加える。
【００２９】
本発明は、その実施形態を参照して提示および記載されてきたが、それらは本発明を限定しないこと、ならびに本明細書、特許請求の範囲、および図面において開示された主題を解釈した後に当業者には明らかとなり得る多くの構造的な詳細または他の詳細を変えることが可能であることが、理解されるべきである。そのため、本発明の範囲は、以下の特許請求の範囲の最も広い範囲によって網羅されるとみなされ得る任意の変形例または均等物を含む。
【符号の説明】
【００３０】
１、１’  支持体
４  本体
４０  孔
１００、１００’  基礎本体部
１１０、１２０、１５０、１６０  孔
１１１、１１１’、１２１、１５１、１６１  端部
１３０、１３０’  ファスナー要素
１３１、１３２  螺旋バネ
１３５  細長い孔
１４０  下方板
１４１、１４２  貫通孔
１７１、１７２  貫通孔
２００  化粧ケース
３００  ピックアップ
４００  外部要素
４１０、４２０  孔
【図１】
2018116275.tif 000003
【図２】
2018116275.tif 000004
【図３】
2018116275.tif 000005
【図４】
2018116275.tif 000006
【図５】
2018116275.tif 000007
【図６】
2018116275.tif 000008
【図７】
2018116275.tif 000009
【図８】
2018116275.tif 000010
【図９】
2018116275.tif 000011
【図１０】
2018116275.tif 000012
【図１１】
2018116275.tif 000013
【図１２】
2018116275.tif 000014
【図１３】
2018116275.tif 000015
【図１４】
2018116275.tif 000016
【図１５】
2018116275.tif 000017
【図１６】
2018116275.tif 000018
【図１７】
2018116275.tif 000019
【図１８】
2018116275.tif 000020
【外国語明細書】
2018116275000001.pdf